(57)【要約】      （修正有）【課題】鋼板屋根を有する建屋の屋内の遮熱、断熱および結露防止がなし得る屋根構造において断熱性能が一段と向上されてなる屋根構造を提供する。【解決手段】下側鋼板屋根板材１と上側鋼板屋根材２と備えてなる屋根構造Ｒであって、下側鋼板屋根板材１および上側鋼板屋根材２との間に配設された断熱材４と遮熱断熱シート３と、上側鋼板屋根材２の下面に形成された空気層５とを有するものである。ここで、下側鋼板屋根板材１が既設屋根鋼板材とされてもよい。【選択図】図１
0003221592.tif 000002
【実用新案登録請求の範囲】
【請求項１】
下側鋼板屋根板材と上側鋼板屋根材と備えてなる屋根構造であって、
前記下側鋼板屋根板材および前記上側鋼板屋根材との間に配設された断熱材と遮熱断熱シートと、前記上側鋼板屋根材の下面に形成された空気層とを有することを特徴とする屋根構造。
【請求項２】
下側鋼板屋根板材が既設屋根鋼板材とされてなることを特徴とする請求項１記載の屋根構造。
【請求項３】
断熱材の上側に遮熱断熱シートが配設されてなることを特徴とする請求項１記載の屋根構造。
【請求項４】
断熱材の下側に遮熱断熱シートが配設されてなることを特徴とする請求項１記載の屋根構造。
【請求項５】
断熱材の上側および下側の両側に遮熱断熱シートが配設されてなることを特徴とする請求項１記載の屋根構造。
【請求項６】
空気層の空気を換気する換気部を備えてなることを特徴とする請求項１記載の屋根構造。
【請求項７】
換気部が軒先に設けられてなることを特徴とする請求項６記載の屋根構造。
【請求項８】
換気部が上側鋼板屋根材の上方に設けられてなることを特徴とする請求項６記載の屋根構造。
【請求項９】
上側鋼板屋根材の上に太陽電池パネルが配設されてなることを特徴とする請求項１記載の屋根構造。
【考案の詳細な説明】
【技術分野】
【０００１】
本考案は屋根構造に関する。さらに詳しくは、鋼板屋根を有する建屋の屋内の遮熱、断熱および結露防止がなし得る屋根構造に関する。
【背景技術】
【０００２】
従来より、鋼板屋根を有する建屋の屋内温度の上昇を防止するため、種々提案がなされている。
【０００３】
例えば、特許文献１には、波形の凹凸を有する屋根材の上面を覆う通気性を有さない遮熱シートと、屋根材の側方の屋根材と遮熱シートとの間の開口部を塞ぐ封止部材とを備え、遮熱シートを、屋根材の頂部に接着し、屋根材の頂部以外の部分と遮熱シートとの間に、空気層を設けたことを特徴とし、遮熱シートと屋根材に接着される部分に、不織布を有することを特徴とする屋根外装構造が提案されている。
【０００４】
また、特許文献２には、折半屋根の屋根上側表面の側縁から傾斜側面にかけて厚みのある保水性を備えたストリップ材を接着し、屋根に平行するストリブ材の側端を縁取りとして利用することで、屋根の上側面に屋根に沿った凹所を形作り熱媒体の流れる流水路を形成し、流水路上流側の散水手段から流水路内に放出された熱媒体を流水路に沿って移動させながらその一部をストリップ材表面に越流させ、ストリップ材に含浸させて保水し、この保水個所から傾斜側面に沿い熱媒体を緩慢に流下させて折半屋根の谷部に集め、谷部に沿って流し排水することにより折半屋根表面と熱媒体の熱交換をなす折半屋根の散水熱交換方法が提案されている。
【０００５】
しかしながら、特許文献１の提案の屋根外装構造においては、断熱や遮音を図ることはできないという問題がある。また、特許文献２の方法においては、散水設備が必要となるという問題がある。
【０００６】
また、多くの工場などでは電力会社との電力契約はデマンド値を基に算出されているが、いわゆるデマンド契約がなされているが、鋼板屋根を有する工場などでは屋内の環境をよくするため、夏場にスポットクーラーが使用されている。その結果、デマンド値が上昇して電力料金の上昇を招来している。また、当然のことながらスポットクーラーが使用されることにより、消費電力も増大する。
【０００７】
さらに、鋼板屋根の内側には断熱のためにグラスウールが配設されているが、このグラスウールの厚みは、一般的には１００ｍｍとされ、その熱容量が大きいため、グラスウールは日中の灼熱により蓄熱してその熱を夜間に放熱して屋内に熱籠りが生じている。
【０００８】
本考案者は、かかる従来技術の課題を解決すべく、図９に示すように、下側鋼板屋根板材１０１と、前記下側鋼板屋根板材１０１の上側に配設された高機能遮熱断熱遮音シート１２０と、前記高機能遮熱断熱遮音シート１２０の上側に形成された空気層１１２と、前記空気層１１２の上側に配設された上側鋼板屋根材１０２とを備え、空気層１１２の空気を換気する換気部(図示省略)を備えて屋根の空冷もなされるようにされてなる屋根構造Ｒ‘を既に提案している（特許文献３）。  
【０００９】
しかしながら、本考案者の前記提案に係る屋根構造Ｒ‘においては、断熱材を用いていないため、断熱性能が低いという新たな課題が見い出された。
【先行技術文献】
【特許文献】
【００１０】
【特許文献１】特開２０１６−１３８３８７号公報
【特許文献２】特開２００８−１２１３９８号公報
【特許文献３】特開２０１８−８４０７４号公報
【考案の開示】
【考案が解決しようとする課題】
【００１１】
本考案はかかる本考案者の先の提案に係る屋根構造の課題に鑑みなされたものであって、鋼板屋根を有する建屋の屋内の遮熱、断熱および結露防止がなし得る屋根構造において断熱性能が一段と向上されてなる屋根構造を提供することを目的とし、また既設の鋼板屋根における遮熱、断熱および結露防止を図ることも目的としている。
【課題を解決するための手段】
【００１２】
本考案の屋根構造は、下側鋼板屋根板材と上側鋼板屋根材と備えてなる屋根構造であって、前記下側鋼板屋根板材および前記上側鋼板屋根材との間に配設された断熱材と遮熱断熱シートと、前記上側鋼板屋根材の下面に形成された空気層とを有することを特徴とする。
【００１３】
本考案の屋根構造においては、下側鋼板屋根板材が既設屋根鋼板材とされてもよい。
【００１４】
また、本考案の屋根構造においては、断熱材の上側に遮熱断熱シートが配設されてなるのが好ましいが、断熱材の下側に遮熱断熱シートが配設されていてもよく、あるいは断熱材の上側および下側の両側に遮熱断熱シートが配設されていてもよい。
【００１５】
さらに、本考案の屋根構造においては、空気層の空気を換気する換気部を備えてなるのが好ましい。その場合、換気部が軒先に設けられていたり、上側鋼板屋根材の上方に設けられていたりするのがさらに好ましい。
【００１６】
さらに、本考案の屋根構造においては、上側鋼板屋根材の上に太陽電池パネルが配設されてなるのが好ましい。
【考案の効果】
【００１７】
本考案は前記の如く構成されているので、鋼板屋根を有する建屋の屋内温度の上昇が抑制され、それによりデマンド値が低減されて消費電力が削減されるという優れた効果を奏する。
【００１８】
換気部を有する本考案の好ましい形態においては、結露防止が図られるという優れた効果を奏する。
【図面の簡単な説明】
【００１９】
【図１】本考案の実施形態1に係る屋根構造のタイトフレームが有る箇所の断面図である。
【図２】同屋根構造のタイトフレームが無い箇所の断面図である。
【図３】遮熱断熱シートの概略図であって、（ａ）はＡＬシールドシート  ＡＬＷ不燃を示し、（ｂ）はＡＬシールドシート  ＡＬ不織布を示す。
【図４】本考案の実施形態２の図２相当図である。
【図５】本考案の実施形態３に係る屋根構造のタイトフレームが有る箇所の断面図である。
【図６】同屋根構造のタイトフレームが無い箇所の断面図である。
【図７】本考案の実施形態４に係る屋根構造のタイトフレームが有る箇所の断面図である。
【図８】同屋根構造のタイトフレームが無い箇所の断面図である。
【図９】特許文献３の屋根構造の要部断面図である。
【考案を実施するための形態】
【００２０】
以下、添付図面を参照しながら本考案を実施形態に基づいて説明するが、本考案はかかる実施形態のみに限定されるものではない。
【００２１】
実施形態１
本考案の実施形態１に係る屋根構造Ｒの要部を図１および図２に示す。なお、本実施形態における下側鋼板屋根板材１および上側鋼板屋根板材２は、同構造とされた波形板材、例えばＨＫ−５００鋼板(日本鉄板株式会社製商品名)とされている。
【００２２】
屋根構造Ｒは、図１に示すように、梁Ｂに配設されたタイトフレームＦに保持部材Ｈにより保持された下側鋼板屋根板材１と、下側鋼板屋根板材１の上側に配設された遮熱断熱シート３と、遮熱断熱シート３の上面に配設された断熱材４と、断熱材４の上側に形成された空気層５と、空気層５の上側に配設された上側鋼板屋根材２とを主要構成要素として備えてなるものとされる。ここで、下側鋼板屋根板材１と上側鋼板屋根板材２との間隔ｈは、例えば１００ｍｍとされている。
【００２３】
上側鋼板屋根板材２は、例えばカラー鋼板とされて図２に示すように、断熱材で被覆された支持部材Ｓを介してタイトフレームＦに支持されている。なお、支持部材Ｓとしては、例えば日本鐵板株式会社から提供されている断熱金具や改修用金具Ｘタイプを好適に用いることができる。
【００２４】
遮熱断熱シート３は、ガラス繊維の両面にアルミフィルムが貼付された不燃シート、例えばＡＬシールドシート  ＡＬＷ不燃(株式会社一原産業  商品名)(図３（ａ）参照)とされ、下側鋼板屋根板材１の表面に沿って敷き込まれている。ここで、ＡＬシールドシート  ＡＬＷ不燃は、国土交通省の規定する不燃材料の規定に適合している。
【００２５】
なお、遮熱断熱シート３は前記に限定されるものではなく、例えばポリプロピレン樹脂からなる不織布の上面にアルミフィルムが貼付されたシート、例えばＡＬシールドシート  ＡＬ不織布(株式会社一原産業  商品名) (図３（ｂ）参照)とされてもよい。
【００２６】
図３中、符号３ａはアルミフィルムを示し、符号３ｂは接着剤を示し、符号３ｃはガラス繊維を示し、符号３ｄは接着層を示し、符号３ｅは不織布を示す。
【００２７】
断熱材４は、例えばグラスウールとされ、その厚みは上側鋼板屋根板材２との間に所定の空気層５が形成されるように調整されている。例えば、厚みは５０ｍｍとされている。
【００２８】
空気層５の空気は、図示しない軒先の換気口から吸い込まれた後に上側鋼板屋根板材２が放射する輻射熱により暖められて上側鋼板屋根板材２に下面に沿って上昇し、棟部の空気集合部(図示省略)から大気中に排気される。この空気の流れにより屋根内部の空冷がなされる。また、この空気の流れにより結露防止が図られる。
【００２９】
なお、軒先の換気口および棟部の空気集合部は、公知の構成を適宜用いることができ、その構成に特段の限定はない。
【００３０】
本実施形態の屋根構造Ｒはかかる構成とされているところから、屋内温度の上昇が抑制され、それによりデマンド値が低減されて消費電力が削減される。
【００３１】
実施形態２
本考案の実施形態２に係る屋根構造Ｒを図４に示す。
【００３２】
実施形態２は実施形態１を改変してなるものであって、遮熱断熱シート３を断熱材４の上側に配設してなるものとされる。
【００３３】
実施形態２のその余の構成は実施形態１と同様とされている。
【００３４】
本実施形態の屋根構造Ｒにおいては、遮熱断熱シート３を断熱材４の上側に配設しているので、上側鋼板屋根板材２から放射される輻射熱が遮熱断熱シート３により遮断されて断熱材４に蓄熱されるのが防止されるので、屋根内の熱籠りが抑制されるという実施形態１では得られない効果も得られる。
【００３５】
実施形態３
本考案の実施形態３に係る屋根構造Ｒの要部を図５および図６に示す。
【００３６】
実施形態３は、既設鋼板屋根材６の上に上側鋼板屋根板材２を支持する支持具７を配設し、その支持具７を利用して既設鋼板屋根材６の上方に上側鋼板屋根板材２を配設するとともに、既設鋼板屋根材６と上側鋼板屋根板材２との間に、既設鋼板屋根材６側から遮熱断熱シート３と断熱材４とをこの順で配設し、さらに断熱材４と上側鋼板屋根板材２との間に空気層５を形成してなるものとされる。
【００３７】
支持金具７は、例えば日本鉄板株式会社製の改修用金具Ｘタイプとされる。
【００３８】
なお、実施形態３の実施形態１と同様の構成要素は、同一の符号を付してその図示説明は省略する。
【００３９】
空気層５の空気は実施形態１の空気層５の空気と同様に、軒先の換気口から吸い込まれた後に上側鋼板屋根板材２が放射する輻射熱により暖められて上側鋼板屋根板材２に下面に沿って上昇し、棟部の空気集合部から大気中に排気される。
【００４０】
このように、本実施形態においては、実施形態１と同様に屋内温度の上昇が抑制され、それによりデマンド値が低減されて消費電力が削減される。つまり、既設建屋の遮熱・断熱が図られて消費電力が削減される。また、屋根内の空冷がなされて結露の防止も図られる。
【００４１】
実施形態４
本考案の実施形態４に係る屋根構造Ｒの要部を図７および図８に示す。
【００４２】
実施形態４は実施形態３を改変してなるものであって、遮熱断熱シート３と断熱材４との配設順序を逆にしてなるものとされる。つまり、断熱材４の上に遮熱断熱シート３を配設してなるものとされる。
【００４３】
なお、実施形態４のその余の構成は実施形態３と同様とされている。
【００４４】
こように、本実施形態においては、断熱材４の上に遮熱断熱シート３を配設しているので、実施形態２と同様の遮熱・断熱効果が得られる。
【００４５】
以上、本考案を実施形態に基づいて説明してきたが、本考案はかかる実施形態のみに限定されるものではなく、種々改変が可能であることは当業者に自明である。
【００４６】
例えば、上側鋼板屋根板材２の上に太陽電池パネルを配設してもよい。また、上側鋼板屋根板材２および下側鋼板屋根板材１は、ＨＫ−５００に限定されるものではなく、各種鋼板屋根板材とすることができる。
【００４７】
さらに、断熱材４の上側および下側の両側に遮熱断熱シート３を配設してもよい。そうすることにより、実施形態１と同様の施工容易性が確保される。
【産業上の利用可能性】
【００４８】
本考案は建築産業や住宅産業に適用できる。
【符号の説明】
【００４９】
１      下側鋼板屋根板材
２      上側鋼板屋根板材
３      遮熱断熱シート
４      断熱材
５      空気層
６      既設屋根鋼板材
７      支持具
Ｒ      屋根構造
Ｂ      梁
Ｆ      タイトフレーム
Ｈ      保持部材
ｈ      間隔
Ｓ      支持部材
【図１】
0003221592.tif 000003
【図２】
0003221592.tif 000004
【図３】
0003221592.tif 000005
【図４】
0003221592.tif 000006
【図５】
0003221592.tif 000007
【図６】
0003221592.tif 000008
【図７】
0003221592.tif 000009
【図８】
0003221592.tif 000010
【図９】
0003221592.tif 000011